(57)【特許請求の範囲】
【請求項１】
移動体通信端末により保存している提供情報にアクセスされるとともに、前記移動体通信端末より所定の操作を行えるようにしたホスト装置であって、
前記移動体通信端末より、端末固有情報が通知され、情報提供者と提供情報の内容に応じたコンテンツ識別情報が指定されて当該提供情報の出力が指定されるとともに、出力先の指定情報を受信すると、その指定情報に対応してあらかじめ記憶している出力装置のメールアドレスに対し、前記端末固有情報の表示情報及び前記提供情報の識別情報をセットしたＳｕｂｊｅｃｔフィールドを持つと共に、前記提供情報に対応した出力情報が本文情報にセットされた電子メールを送信することを特徴とするホスト装置。
【発明の詳細な説明】
【技術分野】
【０００１】
本発明は、移動体通信端末により保存している提供情報にアクセスされるとともに、前記移動体通信端末より所定の操作を行えるようにしたホスト装置に関する。
【背景技術】
【０００２】
近年、例えば、ＮＴＴドコモ社が提供するｉモードサービスのように、移動体通信端末（携帯電話、携帯端末など）により、各情報提供事業者のホストコンピュータに保存されている提供情報へアクセスし、所望の情報を取得できるようにした通信サービスが実現されている。
【０００３】
このような通信サービスを利用すると、コンサートなどのチケット予約、銀行の残高確認など、種々の有用なサービスを受けることができ、例えば、チケット予約のためにチケット予約センターにユーザが出向く必要がないなど、ユーザが手軽に有効なサービスを受けることができる。
【特許文献１】特開平１０−２２２５２７号公報
【発明の開示】
【発明が解決しようとする課題】
【０００４】
しかしながら、従来のこのような通信サービスでは、移動体通信端末側に種々の情報を表示させることができるが、プリントアウトすることはできず、取得した情報をハードコピーとして得ることが困難であった。
【０００５】
本発明は、かかる実情に鑑みてなされたものであり、移動体通信端末に表示させた情報のハードコピーを容易に得ることができるようにしたホスト装置を提供することを目的としている。
【課題を解決するための手段】
【０００６】
本発明は、移動体通信端末により保存している提供情報にアクセスされるとともに、上記移動体通信端末より所定の操作を行えるようにしたホスト装置であって、上記移動体通信端末より、端末固有情報が通知され、情報提供者と提供情報の内容に応じたコンテンツ識別情報が指定されて当該提供情報の出力が指定されるとともに、出力先の指定情報を受信すると、その指定情報に対応してあらかじめ記憶している出力装置のメールアドレスに対し、上記端末固有情報の表示情報及び上記提供情報の識別情報をセットしたＳｕｂｊｅｃｔフィールドを持つと共に、上記提供情報に対応した出力情報が本文情報にセットされた電子メールを送信するようにしたものである。
【発明の効果】
【０００９】
したがって、本発明によれば、移動体通信端末のユーザは、ホスト装置から取得したコンテンツデータを、所望の場所でプリントアウトさせることができるので、例えば、コンサート情報やチケット情報の覚えなどに非常に便利であるという効果を得る。また、出力装置を設置する場所を、コンビニエンスストアチェーンの店舗など、数が多く、人の出入りが便利な建物に設定しておけば、ユーザは手軽にプリントアウトを取得することができて、非常に便利であるという効果も得る。
【発明を実施するための最良の形態】
【００１０】
以下、添付図面を参照しながら、本発明の実施の形態を詳細に説明する。
【００１１】
図１は、本発明の一実施例にかかる通信ネットワークの一例を示している。
【００１２】
この通信ネットワークは、移動体通信端末ＴＭ１〜ＴＭｎ、移動体通信網ＭＮ、および、移動体通信網基地局ＢＳからなる移動体通信ネットワークに、インターネットＩＮＥＴ上の情報提供サーバ装置（ホストコンピュータ）ＩＳ１〜ＩＳｎへデータアクセスするためのゲートウェイ装置ＧＷを設け、さらに、各情報提供サーバ装置ＩＳ１〜ＩＳｎからの提供情報（例えば、ＨＴＭＬ等で記述されたＷｅｂページ情報など）を電子メールとしてインターネットＩＮＥＴを介して送信するための電子メール送信装置ＭＭ１〜ＭＭｎ、および、コンビニエンスストアチェーンの各店舗や鉄道各駅、または、銀行の本支店などの要所に設置され、インターネットＩＮＥＴを介して電子メールを受信する機能を備えた出力装置ＰＴ１〜ＰＴｎを設けてなるものである。
【００１３】
ここで、移動体通信ネットワークに、インターネットＩＮＥＴ上の情報提供サーバ装置ＩＳ１〜ＩＳｎへデータアクセスするためのゲートウェイ装置ＧＷを設け、移動体通信端末ＴＭ１〜ＴＭｎから情報提供サーバ装置ＩＳ１〜ＩＳｎへアクセス可能にして、種々の情報提供サービスを行うネットワークサービスとしては、例えば、ＮＴＴドコモ社のｉモードサービスなどがある。
【００１４】
また、出力装置ＰＴ１〜ＰＴｎは、アナログ公衆網ＰＳＴＮに接続され、インターネットサービスプロバイダＩＳＰへダイアルアップ接続することで、インターネットサービスプロバイダＩＳＰを介して、インターネットＩＮＥＴへ接続される。それにより、出力装置ＰＴ１〜ＰＴｎは、インターネットＩＮＥＴ上のメールサーバ装置ＭＳとの間で電子メールを送受信することができる。
【００１５】
この出力装置ＰＴ１〜ＰＴｎの端末機能としては、ＩＴＵ−Ｔ勧告Ｔ．３７やＩＥＴＦ（Ｉｎｔｅｒｎｅｔ  Ｅｎｇｉｎｅｅｒｉｎｇ  Ｔａｓｋ  Ｆｏｒｃｅ）標準ＲＦＣ（Ｒｅｑｕｅｓｔ  Ｆｏｒ  Ｃｏｍｍｅｎｔｓ）２３０５で規定されるようなメール型インターネットファクシミリ装置機能を備えており、電子メールを受信するＵＡ（Ｕｓｅｒ  Ａｇｅｎｔ）機能としては、ＩＥＴＦ標準ＲＦＣ２０６０などに規定されているＩＭＡＰ４（Ｉｎｔｅｒａｃｔｉｖｅ  Ｍａｉｌ  Ａｃｃｅｓｓ  Ｐｒｏｔｏｃｏｌ）を利用するものを採用している。
【００１６】
また、電子メールのやりとりは、メールサーバ装置ＭＳを介して行う。このメールサーバ装置ＭＳは、ＩＭＡＰ４のサーバ機能を備えており、登録されたメールアドレスについて、それぞれフォルダ（メールボックス）を作成し、他のメールサーバ装置より受信した電子メールのうち、宛先メールアドレスが自端末に登録されているユーザのメールアドレスに一致するものについては、対応するフォルダへ保存する。
【００１７】
ここで、ＩＭＡＰ４のサーバ機能としては、受信側クライアントから指定された情報に基づいたメールの検索機能、複数のメールアドレスで１つのフォルダを共用して使用する共有フォルダ機能、電子メールの本文情報の部分的な取り出し（ＭＩＭＥ情報のパート単位での取り出し）機能、メールサーバ装置ＭＳにローカル接続（ＬＡＮ接続）されたホスト装置（図示略）から指定フォルダへメッセージを保存する機能、ＮｅｔＮｅｗｓとの統合機能などがある。
【００１８】
図２は、移動体通信端末ＴＭ（ＴＭ１〜ＴＭｎ）の構成の一例を示している。なお、この場合、端末機能として電話機能も備えている。
【００１９】
同図において、表示部１は、種々の情報を表示するためのものであり、比較的大きな画面の液晶表示器などからなり、操作部２は、この移動体通信端末ＴＭを操作するためのものであり、電話番号を入力したり、登録されている電話帳から所望の電話番号を選択するための操作を行ったり、あるいは、情報提供画面に対する種々の操作を行う操作キーなどを備えている。
【００２０】
通話部３は、通話のためのものであり、制御部４は、この移動体通信端末ＴＭの種々の通信機能、および、外部装置（図示略）との間のデータのやりとりなどの機能を行うためのものである。
【００２１】
無線通信ユニット５は、この移動体通信端末ＴＭを移動体通信網ＭＮに接続するためのものであり、外部インタフェース回路６は、外部装置（例えば、出力装置ＰＴ（ＰＴ１〜ＰＴｎ））に接続して、種々のデータをやりとりするためのものである。
【００２２】
図３は、出力装置ＰＴの構成の一例を示している。
【００２３】
同図において、システム制御部１１は、この出力装置ＰＴの各部の制御処理や電子メールの送受信処理などの各種制御処理を行うものであり、システムメモリ１２は、システム制御部１１が実行する制御処理プログラム、および、処理プログラムを実行するときに必要な各種データなどを記憶するとともに、システム制御部１１のワークエリアを構成するものであり、パラメータメモリ１３は、この出力装置ＰＴに固有な各種の情報を記憶するためのものであり、時計回路１４は、現在時刻情報を出力するものである。
【００２４】
プロッタ１５は、所定の解像度で画像を記録出力するためのものであり、操作表示部１６は、この出力装置ＰＴを操作するためのもので、各種の操作キー、および、各種の表示器からなる。
【００２５】
ページバッファ１７は、記録出力する画像データを一時的に保存するためのものであり、画像処理部１８は、受信したＴＩＦＦ形式の画像データを、プロッタ１５で記録可能な画像データに変換するなどの種々の画像処理を行うためのものである。
【００２６】
外部インターフェース回路１９は、移動体通信端末ＴＭに接続して、移動体通信端末ＴＭとの間で種々のデータをやりとりするためのものであり、インターネットインタフェース回路２０は、この出力装置ＰＴをアナログ公衆網ＰＳＴＮに接続して、データをやりとりするためのものであり、インターネット伝送制御部２１は、所定のプロトコル処理（ＴＣＰ／ＩＰ）を行うためのものである。
【００２７】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００２８】
これらの、システム制御部１１、システムメモリ１２、パラメータメモリ１３、時計回路１４、プロッタ１５、操作表示部１６、ページバッファ１７、画像処理部１８、外部インタフェース回路１９、および、インターネット伝送制御部２１は、内部バス２２に接続されており、これらの各要素間でのデータのやりとりは、主としてこの内部バス１４を介して行われている。
【００２９】
さて、本実施例では、出力装置ＰＴは、コンビニエンスストアチェーンＡ，Ｂ，Ｃ、鉄道Ａ，Ｂ各駅、および、銀行に設置されており、コンビニエンスストアチェーンＡ，Ｂ，Ｃ、鉄道Ａ，Ｂ各駅、および、銀行について、メールサーバ装置ＭＳにメールアドレスが登録され、対応するフォルダが作成されている。
【００３０】
例えば、コンビニエンスストアチェーンＡ，Ｂ，Ｃのメールアドレスは、それぞれｃｏｎｖ＿ａ＠ａｂｃ．ｃｏ．ｊｐ，ｃｏｎｖ＿ｂ＠ａｂｃ．ｃｏ．ｊｐ，ｃｏｎｖ＿ｃ＠ａｂｃ．ｃｏ．ｊｐであり、鉄道Ａ，Ｂ各駅のメールアドレスは、それぞれＲａｉｌＷａｙ＿ａ＠ａｂｃ．ｃｏ．ｊｐ，ＲａｉｌＷａｙ＿ｂ＠ａｂｃ．ｃｏ．ｊｐであり、銀行のメールアドレスは、ｂａｎｋ＠ａｂｃ．ｃｏ．ｊｐである。
【００３１】
移動体通信端末ＴＭのユーザが、所望の情報提供サーバ装置ＩＳ（ＩＳ１〜ＩＳｎ）へアクセスし、その表示画面に従って適宜に操作を行い、所望のコンテンツ（提供情報）を表示させた後、その表示画面の内容をプリントアウトする事を希望する場合、例えば、その表示画面中の「プリントアウト」と名前が付されたボタンを指定操作する。
【００３２】
それにより、例えば、図４に示すようなプリントアウトの出力先の選択画面が表示される。この場合、出力装置ＰＴが設置されるコンビニエンスストアチェーン（コンビニ）Ａ，Ｂ，Ｃ、鉄道Ａ，Ｂ各駅、および、銀行が、出力先の選択肢として表示されており、ユーザは、任意の１つを選択することができる。
【００３３】
例えば、「コンビニＡ」が選択された場合、情報提供サーバ装置ＩＳは、選択項目を認識するとともに、移動体通信端末ＴＭに対し、端末固有情報（シリアル番号（製造番号）など）の送信を要求し、それにより、移動体通信端末ＴＭは、自端末に登録されている端末固有情報を情報提供サーバ装置ＩＳに送信する。
【００３４】
次いで、情報提供サーバ装置ＩＳは、そのときに選択されたコンテンツ内容と種々の入力情報（例えば、コンサートチケットの場合には、日付、会場、シート番号、区別（大人、子供など）など）を、コンテンツデータとして電子メール送信装置ＭＭ（ＭＭ１〜ＭＭｎ）に送出するとともに、選択された出力先をあらわす出力先分類情報（この場合は、「コンビニＡ」）と、移動体通信端末ＴＭより取得した端末固有情報を電子メール送信装置ＭＭに通知する。
【００３５】
一方、電子メール送信装置ＭＭには、情報提供サーバ装置ＩＳから通知される出力先分類情報に対応して、メールアドレス（メールボックス名）を登録した、図５に示すようなメールアドレステーブルが保存されており、電子メール送信装置ＭＭは、このメールアドレステーブルを参照して、情報提供サーバ装置ＩＳから通知される出力先分類情報に対応したメールアドレスを取得する。
【００３６】
また、電子メール送信装置ＭＭは、情報提供サーバ装置ＩＳから受信するコンテンツデータの内容を表示する表示情報へ変換し、その表示情報を、出力装置ＰＴが処理可能なＴＩＦＦ形式の画像データに変換する機能と、そのＴＩＦＦ形式の画像データをＭＩＭＥ変換する機能を備えている。
【００３７】
したがって、電子メール送信装置ＭＭは、情報提供サーバ装置ＩＳから受信するコンテンツデータの内容を表示する表示情報へ変換し、その表示情報をＴＩＦＦ形式の画像データに変換し、さらに、そのＴＩＦＦ形式の画像データをＭＩＭＥ変換して、電子メールの本文情報を作成するとともに、メールアドレステーブルを参照して、情報提供サーバ装置ＩＳから通知される出力先分類情報に対応したメールアドレスを取得し、情報提供サーバ装置ＩＳから通知される端末固有情報とともに、図６に要部を示すような電子メールを作成して送信する。
【００３８】
ここで、ヘッダ情報のＴｏフィールドには、メールアドレスが配置され、Ｓｕｂｊｅｃｔフィールドには、端末固有情報が配置される。この場合、端末固有情報は、「ＡＢＣ０００１」である。
【００３９】
それにより、移動体通信端末ＴＭのユーザが指定した出力先のメールボックスに、そのユーザがプリントアウトを希望する内容の記録データを運ぶ電子メールが保存される。
【００４０】
一方、そのユーザは、コンビニエンスストアチェーンＡの任意の店舗に赴き、その店舗に設置されている出力装置ＰＴを操作して、モバイルプリントモードを指定する。
【００４１】
それにより、出力装置ＰＴは、図７に示すようなガイダンス画面を表示して、ユーザに対し、端末固有情報（この場合は、製造番号）の入力を要求し、このガイダンス画面に従って、ユーザは、端末固有情報（この場合は、「ＡＢＣ０００１」）を操作入力する。
【００４２】
また、この端末固有情報の入力方法としては、ユーザが直接キー入力する方法と、ユーザが移動体通信端末ＴＭの外部インタフェース回路６と出力装置ＰＴの外部インタフェース回路１９とを信号ケーブルで接続し、出力装置ＰＴの端末固有情報入力キーを操作することで、出力装置ＰＴが移動体通信端末ＴＭへ端末固有情報の入力を要求し、それにより、移動体通信端末ＴＭが端末固有情報を出力装置ＰＴへ転送するという方法がある。
【００４３】
端末固有情報の入力を終了すると、出力装置ＰＴは、インターネットサービスプロバイダＩＳＰへダイアルアップ接続し、自端末に登録されているメールアドレス（この場合は、「ｃｏｎｖ＿ａ＠ａｂｃ．ｃｏ．ｊｐ」）を用いて、メールサーバ装置ＭＳへ接続し、操作入力された端末固有情報をキーとしてＳｕｂｊｅｃｔフィールドを検索要求する。
【００４４】
それにより、メールサーバ装置ＭＳは、指定されたメールアドレスに対応したフォルダに、Ｓｕｂｊｅｃｔフィールドの値に文字列「ＡＢＣ０００１」を含む電子メールが保存されているかどうかを調べ、保存されている場合には、その電子メールを取り出して、出力装置ＰＴへ送信する。また、該当する電子メールが保存されていない場合には、エラーを出力装置ＰＴへ通知する。
【００４５】
出力装置ＰＴは、メールサーバ装置ＭＳより電子メールを受信すると、その本文情報からＭＩＭＥ情報を取り出して、そのＭＩＭＥ情報を逆変換し、元のＴＩＦＦ形式の画像データを作成する。
【００４６】
次いで、そのＴＩＦＦ形式の画像データを、画像処理部１８でプロッタ１５が記録可能な画像データへ変換し、その画像データをプロッタ１５へ転送して、記録出力する。
【００４７】
それにより、移動体通信端末ＴＭのユーザは、自分が指定したコンテンツをプリントアウトさせることができる。
【００４８】
このようにして、本実施例では、移動体通信端末ＴＭのユーザは、情報提供サーバ装置ＩＳから取得したコンテンツデータを、所望の場所でプリントアウトさせることができるので、例えば、コンサート情報やチケット情報の覚えなどに非常に便利である。また、出力装置ＰＴを設置する場所を、コンビニエンスストアチェーンの店舗など、数が多く、人の出入りが便利な建物に設定しておけば、ユーザは手軽にプリントアウトを取得することができて、非常に便利である。
【００４９】
また、そのための電子メールの受信手段として、ＩＭＡＰ４を利用したプロトコル通信手段を用いることができるので、既存の技術を転用でき、かかる通信ネットワークシステムを比較的容易に構築することができる。
【００５０】
図８は、移動体通信端末ＴＭの概略処理の一例を示している。
【００５１】
移動体通信端末ＴＭは、ユーザより何らかの操作入力がされることを監視しており（判断１０１のＮＯループ）、ユーザより何らかの操作入力がされて、判断１０１の結果がＹＥＳになると、指定された操作内容が情報提供サーバ装置ＩＳから提供される情報を検索するＷｅｂ検索であるかどうかを調べる（判断１０２）。
【００５２】
判断１０２の結果がＹＥＳになるときには、移動体通信網ＭＮに接続し（処理１０３）、所定のＷｅｂ操作処理（例えば、ＷＷＷブラウザーソフトなど）を実行して（処理１０４）、適宜にファイルを情報提供サーバ装置ＩＳより要求し（処理１０５）、情報提供サーバ装置ＩＳより受信したファイルを適宜に表示する（処理１０６）。
【００５３】
このようなＷｅｂ検索処理を行っているとき、終了が指令されるか（判断１０７）、あるいは、接続先の情報提供サーバ装置ＩＳから端末固有情報の取得要求がされるかを調べる（判断１０８）。ここで、終了が指令され、判断１０７の結果がＹＥＳになるときには、移動体通信網ＭＮとの接続を終了し、この動作を終了する。
【００５４】
また、接続先の情報提供サーバ装置ＩＳから端末固有情報の取得要求がされて、判断１０８の結果がＹＥＳになるときには、自端末に記憶されている製造番号を、端末固有情報として要求元の情報提供サーバ装置ＩＳへ送信する（処理１０９）。
【００５５】
そのときの操作内容がＷｅｂ検索ではなく、判断１０２の結果がＮＯになるときには、外部インターフェース回路６が外部装置（この場合は、出力装置ＰＴ）に接続されているかどうかを調べる（判断１１０）。
【００５６】
判断１１０の結果がＹＥＳになるときには、外部装置から端末固有情報が要求されるまで待つ（判断１１１のＮＯループ）。外部装置から端末固有情報が要求されて判断１１１の結果がＹＥＳになるときには、自端末に記憶されている製造番号を、端末固有情報として外部装置へ送信し（処理１１２）、このときの動作を終了する。
【００５７】
また、そのときの操作内容がＷｅｂ検索でも、外部接続でもなく、判断１１０の結果がＮＯになるときには、そのときの操作内容に対応した処理（例えば、通常の通話処理など）を実行し（処理１１３）、このときの動作を終了する。
【００５８】
図９は、情報提供サーバ装置ＩＳの概略処理例を示している。
【００５９】
まず、いずれかの移動体通信端末ＴＭからアクセスされることを監視しており（判断２０１のＮＯループ）、いずれかの移動体通信端末ＴＭからアクセスされて、判断２０１の結果がＹＥＳになるときには、そのときに受信した要求が印刷指示であるかどうかを調べる（判断２０２）。
【００６０】
そのときに受信した要求が印刷指示の場合で、判断２０２の結果がＹＥＳになるときには、図４に示したようなプリントアウト出力先選択画面表示用のファイルを、そのときの要求元へ送信し（処理２０３）、判断２０１へ戻る。
【００６１】
また、そのときに受信した要求が印刷指示ではなく、判断２０２の結果がＮＯになるときには、そのときに受信した要求が出力先分類情報を含む出力先指定要求であるかどうかを調べる（判断２０４）。
【００６２】
判断２０４の結果がＹＥＳになるときには、その要求元に対して、端末固有情報の取得を要求して、端末固有情報を受信し（処理２０５）、そのときに印刷指定されたコンテンツを判定し（処理２０６）、端末固有情報、コンテンツデータ、および、選択された出力先分類情報を電子メール送信装置ＭＭへ送信し（処理２０７）、判断２０１へ戻る。
【００６３】
また、判断２０４の結果がＮＯになるときには、そのときに要求されたコンテンツ情報ファイルを要求元へ送信し（処理２０８）、判断２０１へ戻る。
【００６４】
図１０は、電子メール送信装置ＭＭの概略処理の一例を示している。
【００６５】
情報提供サーバ装置ＩＳより端末固有情報、コンテンツデータ、および、選択された出力先情報を受信すると、その受信情報を一旦保存し（処理３０１）、コンテンツデータの内容を表示する表示情報へ変換し、その表示情報をＴＩＦＦ形式の画像データに変換し（処理３０２）、そのＴＩＦＦ形式の画像データをＭＩＭＥ変換して、電子メールの本文情報を作成する（処理３０３）。
【００６６】
次いで、メールアドレステーブルを参照して、情報提供サーバ装置ＩＳから通知される出力先分類情報に対応したメールアドレスを取得し、所定のヘッダ情報を作成し（処理３０４）、そのときに作成した電子メールを送信する（処理３０５）。
【００６７】
図１１は、メールサーバ装置ＭＳの電子メール受信時の概略処理例を示している。
【００６８】
まず、他のメールサーバ装置より受信した電子メールのうち、宛先メールアドレスが自端末に登録されているユーザのメールアドレスに一致するものについては（処理４０１）、その宛先メールアドレスに対応したフォルダを判定し（処理４０２）、受信した電子メールをそのフォルダへ保存する（処理４０３）。
【００６９】
図１２は、メールサーバ装置ＭＳが出力装置ＰＴから、端末固有情報をキーとしてＳｕｂｊｅｃｔフィールドの検索要求がされた際の概略処理の一例を示している。
【００７０】
まず、メールサーバ装置ＭＳは、指定されたメールアドレスに対応したフォルダを判定し（処理５０１）、指定された端末固有情報の値を、Ｓｕｂｊｅｃｔフィールドに含む電子メールが、そのフォルダに保存されているかどうかを調べる（処理５０２）。
【００７１】
該当メールがあった場合で、判断５０３の結果がＹＥＳになるときには、その電子メールを取り出して、そのときの電子メール受信要求元である出力装置ＰＴへ送信し（処理５０４）、送信済みの電子メールをフォルダから削除して（処理５０５）、この動作を終了する。
【００７２】
また、該当する電子メールが保存されていない場合で、判断５０３の結果がＮＯになるときには、該当電子メールが保存されていない旨を、そのときの電子メール受信要求元である出力装置ＰＴへエラー通知して（処理５０６）、この動作を終了する。
【００７３】
図１３は、出力装置ＰＴの概略処理の一例を示している。
【００７４】
ユーザより印刷要求を受け付けると（処理６０１）、端末固有情報の入力を行う（処理６０２）。このときの入力方法としては、上述したように、ユーザが直接キー入力する方法と、ユーザが移動体通信端末ＴＭの外部インタフェース回路６と出力装置ＰＴの外部インタフェース回路１９とを信号ケーブルで接続し、出力装置ＰＴの端末固有情報入力キーを操作することで、出力装置ＰＴが移動体通信端末ＴＭへ端末固有情報の入力を要求し、それにより、移動体通信端末ＴＭが端末固有情報を出力装置ＰＴへ転送する方法とがある。
【００７５】
このようにして、端末固有情報を取得すると、インターネットサービスプロバイダＩＳＰへダイアルアップ接続し（処理６０３）、自端末に登録されているメールアドレスを用い、ＩＭＡＰ４プロトコルを適用し、メールサーバ装置ＭＳへ接続し、操作入力された端末固有情報をキーとしてＳｕｂｊｅｃｔフィールドを検索要求し、該当する電子メールを受信する（処理６０４）。
【００７６】
電子メールの受信動作を終了すると、インターネットサービスプロバイダＩＳＰから切断し（処理６０５）、そのときに電子メールを受信できたかどうかを調べる（判断６０６）。
【００７７】
電子メールを受信できた場合で、判断６０６の結果がＹＥＳになるときには、受信した電子メールの本文情報からＭＩＭＥ情報を取り出して、そのＭＩＭＥ情報を逆変換し、元のＴＩＦＦ形式の画像データを作成し、そのＴＩＦＦ形式の画像データを、画像処理部１８でプロッタ１５が記録可能な画像データへ変換し、その画像データをプロッタ１５へ転送して、記録出力する（処理６０７）。
【００７８】
次いで、その記録出力終了した画像データを削除して（処理６０８）、このときの記録動作を終了する。
【００７９】
また、電子メールを受信できなかった場合で、判断６０６の結果がＮＯになるときには、その旨をエラー表示して（処理６０９）、このときの動作を終了（エラー終了）する。
【００８０】
ところで、上述した実施例では、移動体通信端末ＴＭのユーザの１回の印刷要求に対して、１通の電子メールが作成され、メールサーバ装置ＭＳに設けられた指定の出力先分類に対応したフォルダへ保存されるため、同一コンテンツに対する印刷要求が多数発生した場合、ヘッダ情報のＳｕｂｊｅｃｔフィールドの値が異なるだけで本文情報が同一である多数の電子メールがメールサーバ装置ＭＳに保存されるため、メールサーバ装置ＭＳの蓄積容量を圧迫するおそれがある。
【００８１】
例えば、コンテンツがコンサート情報やチケット情報などの場合に、かかる事態が生じると考えられる。
【００８２】
このような事態を回避するためには、同一コンテンツデータを運ぶ電子メールをまとめて１通に統合する機能を、メールサーバ装置ＭＳに持たせればよい。
【００８３】
そのために、まず、電子メール送信装置ＭＭは、電子メールのＳｕｂｊｅｃｔフィールドに、次のようなフォーマットで端末固有情報とコンテンツデータを識別するためのコンテンツ識別情報を配置する。
【００８４】
（端末識別情報）＊＊（コンテンツ識別情報）
【００８５】
ここで、コンテンツ識別情報としては、例えば、次のようなフォーマットを採用することができる。
【００８６】
（情報提供者識別情報）−（コンテンツ番号）
【００８７】
ここに、情報提供者識別情報は、情報提供サーバ装置ＩＳを運営する情報提供者を識別する任意のデータであり、コンテンツ番号は、おのおのの情報提供サーバ装置ＩＳにおいて、それぞれのコンテンツを識別するための情報である。したがって、コンテンツ識別情報は、例えば、「Ａ−０００１」のように指定される。この場合、「Ａ」が情報提供者識別情報となる。
【００８８】
したがって、端末固有情報が「ＡＢＣ０００１」である移動体通信端末ＴＭのユーザ（以下、「ユーザ０００１」という）が、情報提供者識別情報の値が「Ａ」である、情報提供サーバ装置ＩＳへアクセスし、その表示画面に従って適宜に操作を行い、コンテンツ番号が「０００１」であるコンテンツを表示させた後、その表示画面の内容をプリントアウトする事を希望し、上述した場合と同様の操作により（図４参照）、出力先として「コンビニＡ」を指定した場合、情報提供サーバ装置ＩＳは、そのときに選択されたコンテンツ内容に対応したコンテンツデータを電子メール送信装置ＭＭに送出するとともに、そのときに選択されたコンテンツ内容に対応したコンテンツ識別情報（この場合は、「Ａ−０００１」）、選択された出力先をあらわす出力先分類情報（この場合は、「コンビニＡ」）、および、移動体通信端末ＴＭより取得した端末固有情報（この場合は、「ＡＢＣ０００１」）を電子メール送信装置ＭＭに通知する。
【００８９】
それにより、電子メール送信装置ＭＭは、情報提供サーバ装置ＩＳから受信するコンテンツデータの内容を表示する表示情報へ変換し、その表示情報をＴＩＦＦ形式の画像データに変換し、さらに、そのＴＩＦＦ形式の画像データをＭＩＭＥ変換して、電子メールの本文情報を作成するとともに、メールアドレステーブル（図５参照）を参照して、情報提供サーバ装置ＩＳから通知される出力先分類情報に対応したメールアドレスを取得し、情報提供サーバ装置ＩＳから通知されるコンテンツ識別情報および端末固有情報とともに、図１４に要部を示すような電子メールを作成して送信する。
【００９０】
ここで、ヘッダ情報のＴｏフィールドには、メールアドレスが配置され、Ｓｕｂｊｅｃｔフィールドには、上述したフォーマットで端末固有情報とコンテンツ識別情報が配置される。
【００９１】
それにより、移動体通信端末ＴＭのユーザが指定した出力先に対応して、メールサーバ装置ＭＳに設けられているフォルダに、そのユーザがプリントアウトを希望する内容の記録データを運ぶ電子メールが保存される。
【００９２】
また、この電子メール保存時、メールサーバ装置ＭＳは、受信電子メールのＳｕｂｊｅｃｔフィールドに、端末固有情報とコンテンツ識別情報との区切りに用いられている「＊＊」なる文字列が含まれるかどうかを調べ、含まれている場合には、同一フォルダに、Ｓｕｂｊｅｃｔフィールドに同一コンテンツ識別情報が配置されている他の電子メールが既に保存されているかどうかを調べる。
【００９３】
そして、保存されていない場合には、新たに受信した電子メールを、当該フォルダに保存する。
【００９４】
一方、保存されている場合には、新たに受信した電子メールのＳｕｂｊｅｃｔフィールドから端末固有情報のみを抽出し、既に保存されている電子メールのＳｕｂｊｅｃｔフィールドに、その抽出した端末固有情報を連結用符号「＋」を用いて連結し、既に保存されている電子メールを同一フォルダに対して更新保存するとともに、この場合には、新たに受信した電子メールを保存しない。
【００９５】
したがって、この場合、同一コンテンツについて、コンビニエンスストアチェーンＡが出力先に指定された電子メールが最初に送信された場合、対応するフォルダには、図１４と同一の電子メールが保存される。
【００９６】
そして、次に、端末固有情報が「ＡＢＣ００１１」である移動体通信端末ＴＭのユーザ（以下、「ユーザ００１１」という）が、同一情報提供サーバ装置ＩＳへアクセスし、同一コンテンツを表示させた後、その表示画面の内容をプリントアウトする事を希望し、出力先として同一の「コンビニＡ」を指定した場合、情報提供サーバ装置ＩＳおよび電子メール送信装置ＭＭにより、上述したと同様の動作が行われ、その結果、電子メール送信装置ＭＭからは、図１４に示した電子メールとＳｕｂｊｅｃｔフィールドの値のみが相違する（この場合は、「ＡＢＣ００１１＊＊Ａ−０００１」）電子メールが、メールサーバ装置ＭＳへと送信される。
【００９７】
この場合、同一コンテンツについて、同一フォルダに既に電子メールが保存されているので、メールサーバ装置ＭＳでは、新たに受信した電子メールのＳｕｂｊｅｃｔフィールドから端末識別情報を抽出し、既に保存されている電子メールのＳｕｂｊｅｃｔフィールドに連結することで、図１５に示すような電子メールを作成して、同一フォルダに更新保存する。
【００９８】
一方、ユーザ０００１、および、ユーザ００１１は、それぞれ独立してコンビニエンスストアチェーンＡの任意の店舗に赴き、その店舗に設置されている出力装置ＰＴを操作して、モバイルプリントモードを指定する。
【００９９】
それにより、出力装置ＰＴは、図７に示すようなガイダンス画面を表示して、ユーザに対し、端末固有情報（この場合は、製造番号）の入力を要求する。それにより、このガイダンス画面に従い、ユーザ０００１は、「ＡＢＣ０００１」」端末固有情報を操作入力し、ユーザ００１１は、「ＡＢＣ００１１」なる端末固有情報を操作入力する。
【０１００】
端末固有情報の入力を終了すると、それぞれの出力装置ＰＴは、インターネットサービスプロバイダＩＳＰへダイアルアップ接続し、自端末に登録されているメールアドレス（この場合は、「ｃｏｎｖ＿ａ＠ａｂｃ．ｃｏ．ｊｐ」）を用いて、メールサーバ装置ＭＳへ接続し、操作入力された端末固有情報をキーとしてＳｕｂｊｅｃｔフィールドを検索要求する。
【０１０１】
それにより、メールサーバ装置ＭＳは、指定されたメールアドレスに対応したフォルダに、Ｓｕｂｊｅｃｔフィールドの値に文字列「ＡＢＣ０００１」（ユーザ０００１の場合）あるいは文字列「ＡＢＣ００１１」（ユーザ００１１の場合）を含む電子メールが保存されているかどうかを調べ、保存されている場合には、その電子メールを取り出して、出力装置ＰＴへ送信する。また、該当する電子メールが保存されていない場合には、エラーを出力装置ＰＴへ通知する。
【０１０２】
出力装置ＰＴは、メールサーバ装置ＭＳより電子メールを受信すると、その本文情報からＭＩＭＥ情報を取り出して、そのＭＩＭＥ情報を逆変換し、元のＴＩＦＦ形式の画像データを作成する。
【０１０３】
次いで、そのＴＩＦＦ形式の画像データを、画像処理部１８でプロッタ１５が記録可能な画像データへ変換し、その画像データをプロッタ１５へ転送して、記録出力する。
【０１０４】
それにより、移動体通信端末ＴＭのユーザ０００１およびユーザ００１１は、自分が指定したコンテンツをプリントアウトさせることができる。
【０１０５】
一方、メールサーバ装置ＭＳは、出力装置ＰＴからの電子メール受信要求時に指定された検索用の文字列（この場合、「ＡＢＣ０００１」あるいは「ＡＢＣ００１１」）を、検索できた電子メールのＳｕｂｊｅｃｔフィールドの値から削除する。
【０１０６】
例えば、Ｓｕｂｊｅｃｔフィールドの値が「ＡＢＣ０００１＋ＡＢＣ００１１＊＊Ａ−０００１」である場合、最初の受信要求で検索文字列に「ＡＢＣ０００１」が指定されたとき、電子メールを送信した後に、Ｓｕｂｊｅｃｔフィールドの値を「ＡＢＣ００１１＊＊Ａ−０００１」に更新する。
【０１０７】
次いで、続く受信要求で検索文字列に「ＡＢＣ００１１」が指定されたとき、電子メールを送信した後に、Ｓｕｂｊｅｃｔフィールドの値を「＊＊Ａ−０００１」に更新する。
【０１０８】
そして、メールサーバ装置ＭＳは、このように端末固有情報が全て削除された電子メールについては消去し、蓄積容量が不当に占有されるような事態を回避して、蓄積容量を有効に活用できるようにする。
【０１０９】
また、メールサーバ装置ＭＳは、保存している電子メールの蓄積している時間が所定時間（例えば、２４時間）を経過している場合には、その電子メールを削除する。それにより、ユーザに出力取り出しが忘れられている電子メールにより、蓄積容量が不当に占有されるような事態を回避している。
【０１１０】
図１６は、この場合のメールサーバ装置ＭＳの電子メール受信時の概略処理例を示している。
【０１１１】
まず、他のメールサーバ装置より受信した電子メールのうち、宛先メールアドレスが自端末に登録されているユーザのメールアドレスに一致するものについては（処理７０１）、その宛先メールアドレスに対応したフォルダを判定する（処理７０２）。
【０１１２】
次いで、そのときに受信した電子メールのＳｕｂｊｅｃｔフィールドに文字列「＊＊」が含まれているかどうかを調べる（判断７０３）。判断７０３の結果がＹＥＳになるときには、コンテンツ識別情報が付加されている場合なので、同一フォルダに、Ｓｕｂｊｅｃｔフィールドに同一コンテンツ識別情報が配置されている他の電子メールが既に保存されているかどうかを調べる（処理７０４）。
【０１１３】
同一フォルダに、Ｓｕｂｊｅｃｔフィールドに同一コンテンツ識別情報が配置されている他の電子メールが既に保存されている場合で、判断７０５の結果がＹＥＳになるときには、新たに受信した電子メールのＳｕｂｊｅｃｔフィールドから端末固有情報のみを抽出し、既に保存されている電子メールのＳｕｂｊｅｃｔフィールドに、その抽出した端末固有情報を連結用符号「＋」を用いて連結し（処理７０６）、既に保存されている電子メールを同一フォルダに対して更新保存するとともに（処理７０７）、そのときの蓄積時刻を、その電子メールに対応して更新保存して（処理７０８）、この動作を終了する。
【０１１４】
一方、同一フォルダに、Ｓｕｂｊｅｃｔフィールドに同一コンテンツ識別情報が配置されている他の電子メールが保存されていない場合で、判断７０５の結果がＮＯになるときには、新たに受信した電子メールを当該フォルダに保存し（処理７０９）、そのときの蓄積時刻を、その電子メールに対応して新たに保存して（処理７１０）、この動作を終了する。
【０１１５】
図１７は、この場合に、メールサーバ装置ＭＳが出力装置ＰＴから、端末固有情報をキーとしてＳｕｂｊｅｃｔフィールドの検索要求がされた際の概略処理の一例を示している。
【０１１６】
まず、メールサーバ装置ＭＳは、指定されたメールアドレスに対応したフォルダを判定し（処理８０１）、指定された端末固有情報の値を、Ｓｕｂｊｅｃｔフィールドに含む電子メールが、そのフォルダに保存されているかどうかを調べる（処理８０２）。
【０１１７】
該当メールがあった場合で、判断８０３の結果がＹＥＳになるときには、該当する電子メールを１つ取り出して、そのときの電子メール受信要求元である出力装置ＰＴへ送信し（処理８０４）、検索に用いられた文字列を、検索できた電子メールのＳｕｂｊｅｃｔフィールドの値から削除して、電子メールのヘッダ情報を更新保存する（処理８０５）。
【０１１８】
ここで、処理８０５の結果、全ての端末固有情報が削除された場合には（判断８０６の結果がＹＥＳ）、該当する電子メールを削除する（処理８０８）。また、１つ以上の端末固有情報が残っている場合には、その電子メールを削除せず、保持する。
【０１１９】
そして、他の該当する電子メールがあるかどうかを調べ（判断８０９）、判断８０９の結果がＹＥＳになるときには、処理８０４へ戻り、残りの該当電子メールについての処理を実行する。
【０１２０】
また、全ての該当電子メールについての処理を終了し、判断８０９の結果がＮＯになるときには、この動作を終了する。
【０１２１】
また、該当する電子メールが保存されていない場合で、判断８０３の結果がＮＯになるときには、該当電子メールが保存されていない旨を、そのときの電子メール受信要求元である出力装置ＰＴへエラー通知して（処理８１０）、この動作を終了する。
【０１２２】
図１８は、メールサーバ装置ＭＳが電子メールを削除する際に実行する処理の一例を示している。なお、この処理は、所定時間間隔（例えば、１時間）で実行されるものである。
【０１２３】
まず、フォルダを１つ選択し（処理８２１）、１つ以上の電子メールが保存されているかどうかを調べる（判断８２２）。判断８２２の結果がＹＥＳになるときには、選択フォルダから１つの電子メールを選択し（処理８２３）、その電子メールについての蓄積時刻と現在時刻を比較し、蓄積時刻から所定時間以上経過しているかどうかを調べる（判断８２４）。
【０１２４】
判断８２４の結果がＹＥＳになるときには、そのときの選択電子メールを削除する（処理８２５）。また、判断８２４の結果がＮＯになるときには、処理８２５を実行せず、その電子メールを保持する。
【０１２５】
１つの電子メールについての処理を終了すると、選択フォルダについて全ての電子メールの処理が終了したかどうかを調べ（判断８２６）、判断８２６の結果がＮＯになるときには、処理８２３へ戻り、残りの電子メールについて同様の処理を実行する。
【０１２６】
また、１つのフォルダについての処理が終了して判断８２６の結果がＹＥＳになるときには、全てのフォルダについての処理が終了したかどうかを調べ（判断８２７）、判断８２７の結果がＮＯになるときには、処理８２１へ戻り、残りのフォルダについて同様の処理を実行する。
【０１２７】
また、判断８２７の結果がＹＥＳになるときには、この処理を終了する。
【０１２８】
さて、以上説明したように、出力装置ＰＴにより、移動体通信端末ＴＭのユーザが指定したコンテンツのプリントアウトを取得できるようにしたとき、それぞれの出力装置ＰＴにおけるプリントアウト回数を、その出力装置ＰＴの設置ユーザ、例えば、コンビニエンスストアチェーンＡの管理者が知ることができれば、より有効な設置場所を設定できる等、非常に便利である。
【０１２９】
そのためには、出力装置ＰＴがプリントアウトするたびに、受信したコンテンツ番号毎に出力回数をカウントして履歴情報を残し、一定期間（例えば、１月）毎に、履歴情報を一覧表示するようなレポートを作成して、記録出力したり、あらかじめ登録されたユーザのメールアドレスへ電子メールで送信するようにすればよい。
【０１３０】
図１９は、この場合に、出力装置ＰＴに備える履歴情報テーブルの一例を示している。この履歴情報テーブルは、電子メールで受信したコンテンツ番号毎に、出力回数（アクセス回数）を保存するものであり、また、電子メールの送信先のメールアドレスも記憶している。
【０１３１】
図２０は、この場合に、出力装置ＰＴが記録出力するレポート（情報アクセス通知レポート）の一例を示している。ここで、店舗名および出力装置番号は、それぞれ出力装置ＰＴに固有に設定される情報である。
【０１３２】
また、出力装置ＰＴは、情報アクセス通知レポートを記録出力するとともに、同様の内容を運ぶ電子メールを作成し、履歴情報テーブルに保存されているメールアドレスへ送信する。
【０１３３】
図２１は、この場合の出力装置ＰＴの電子メール受信時の概略処理の一例を示している。
【０１３４】
ユーザより印刷要求を受け付けると（処理９０１）、端末固有情報の入力を行う（処理９０２）。このときの入力方法としては、上述したように、ユーザが直接キー入力する方法と、ユーザが移動体通信端末ＴＭの外部インタフェース回路６と出力装置ＰＴの外部インタフェース回路１９とを信号ケーブルで接続し、出力装置ＰＴの端末固有情報入力キーを操作することで、出力装置ＰＴが移動体通信端末ＴＭへ端末固有情報の入力を要求し、それにより、移動体通信端末ＴＭが端末固有情報を出力装置ＰＴへ転送する方法とがある。
【０１３５】
このようにして、端末固有情報を取得すると、インターネットサービスプロバイダＩＳＰへダイアルアップ接続し（処理９０３）、自端末に登録されているメールアドレスを用い、ＩＭＡＰ４プロトコルを適用し、メールサーバ装置ＭＳへ接続し、操作入力された端末固有情報をキーとしてＳｕｂｊｅｃｔフィールドを検索要求し、該当する電子メールを受信する（処理９０４）。
【０１３６】
電子メールの受信動作を終了すると、インターネットサービスプロバイダＩＳＰから切断し（処理９０５）、そのときに電子メールを受信できたかどうかを調べる（判断９０６）。
【０１３７】
電子メールを受信できた場合で、判断９０６の結果がＹＥＳになるときには、受信した電子メールの１つを選択し（処理９０７）、その選択電子メールの本文情報からＭＩＭＥ情報を取り出して、そのＭＩＭＥ情報を逆変換し、元のＴＩＦＦ形式の画像データを作成し、そのＴＩＦＦ形式の画像データを、画像処理部１８でプロッタ１５が記録可能な画像データへ変換し、その画像データをプロッタ１５へ転送して、記録出力する（処理９０８）。
【０１３８】
次いで、その記録出力終了した画像データを削除し（処理９０９）、履歴情報テーブルの内容につき、そのときの電子メールのコンテンツ番号についてアクセス数を１つ増やし、履歴情報テーブルの内容を更新する（処理９１０）。
【０１３９】
次いで、全ての受信電子メールについての処理を終了したかどうかを調べ（判断９１１）、判断９１１の結果がＮＯになるときには、処理９０７へ戻り、残りの電子メールについて処理を実行する。また、全ての受信電子メールについての処理を終了した場合で、判断９１１の結果がＹＥＳになるときには、このときの記録動作を終了する。
【０１４０】
また、電子メールを受信できなかった場合で、判断９０６の結果がＮＯになるときには、その旨をエラー表示して（処理９１２）、このときの動作を終了（エラー終了）する。
【０１４１】
図２２は、出力装置ＰＴの情報アクセス通知レポートの出力処理の一例を示している。
【０１４２】
まず、出力日時（例えば、月末など）になると（判断１００１の結果がＹＥＳ）、記憶している履歴情報テーブルの内容に基づいて、上述した情報アクセス通知レポートを作成し（処理１００２）、その内容をプロッタ１５より記録出力する（処理１００３）。
【０１４３】
次いで、電子メールを作成し（処理１００４）、そのときの履歴情報テーブルの内容を消去する（処理１００５）。
【０１４４】
そして、インターネットサービスプロバイダＩＳＰへダイアルアップ接続し（処理１００６）、自端末に登録されているメールアドレスを用い、所定の電子メール送信プロトコルを適用し、電子メールを送信する（処理１００７）。次いで、インターネットサービスプロバイダＩＳＰから切断し（処理１００８）、この動作を終了する。
【０１４５】
ところで、移動体通信通信網ＭＮのユーザ数が非常に多い場合、上述した情報の記録出力サービスを利用するユーザ数も多くなり、その結果、メールサーバ装置ＭＳの１つのフォルダについて、非常に多くの電子メールが保存されることとなり、出力装置ＰＴからの要求に応じて検索処理する際のメールサーバ装置ＭＳの処理の手間が増え、アクセスタイムが長くなると言う事態が想定される。
【０１４６】
かかる事態を回避するには、移動体数新端末ＴＭの端末固有情報で使用するフォルダを割り振り、１つのフォルダに保存される電子メールの数を減少させればよい。
【０１４７】
そのために、例えば、図２３に示すように、１つの出力先分類の値について、端末固有情報の値の範囲で２つのメールアドレスを設定する。また、メールサーバ装置ＭＳには、それぞれのメールアドレスに対応してフォルダを作成しておく。なお、図２３で示したものは、電子メール送信装置ＭＭに保存されるメールアドレステーブルの一例である。
【０１４８】
これにより、同一フォルダに保存される電子メールの数は、１／２に減少し、メールサーバ装置ＭＳの検索処理などに要する時間を短縮することができる。
【０１４９】
なお、このメールアドレスの設定態様はこれに限ることはなく、任意の態様に設定することが可能である。
【０１５０】
また、このような情報の記録出力サービスを受けるか否かは、多くの場合、移動体通信端末ＴＭのユーザと移動体通信網ＭＮの事業者との契約により定められる。したがって、その契約時に、情報出力サービス用のメールアドレスを設定し、移動体通信端末ＴＭに登録することができる。
【０１５１】
そして、この場合には、情報の記録出力サービスを受けようとする場合、移動体通信端末ＴＭから記録出力サービス用のメールアドレスを情報提供サーバ装置ＩＳへ通知し、情報提供サーバ装置ＩＳは、コンテンツデータ等とともにこの通知されたメールアドレスを電子メール送信装置ＭＭへ通知する。
【０１５２】
それにより、電子メール送信装置ＭＭは、通知されたメールアドレスを直接使用できるので、上述したようなメールアドレステーブルを、電子メール送信装置ＭＭに保存する必要がなくなる。
【０１５３】
また、移動体通信端末ＴＭのユーザは、情報を記録出力させるために出力装置ＰＴを操作する場合、端末固有情報と記録出力サービス用のメールアドレスを操作入力する。また、このようなユーザの手間を考慮すると、上述したように、移動体通信端末ＴＭと出力装置ＰＴとを信号ケーブルで接続し、移動体通信端末ＴＭから出力装置ＰＴへ、自動的に端末固有情報と記録出力サービス用のメールアドレスを転送するようにした方が好ましい。
【０１５４】
また、この場合には、記録データを取得するために、出力装置ＰＴは、入力された記録出力サービス用のメールアドレスを直接用いて、メールサーバ装置ＭＳから電子メールを受信する。
【０１５５】
また、メールサーバ装置ＭＳでは、ＩＭＡＰ４の共有フォルダ機能を用いて、複数の記録出力サービス用のメールアドレスで１つのフォルダ（共有フォルダ）を使用させるようにすることもできる。
【０１５６】
なお、上述した実施例では、出力装置ＰＴは、アナログ公衆網ＰＳＴＮに接続され、インターネットサービスプロバイダＩＳＰにダイアルアップ接続することでインターネットＩＮＥＴへ接続しているが、使用する回線はＩＳＤＮでもよく、あるいは、インターネットＩＮＥＴへ常時接続される場合についても、本発明を同様にして適用することができる。
【０１５７】
また、上述した実施例では、ネットワークとしてインターネットを用いているが、他の同様のネットワークを利用することも可能である。
【図面の簡単な説明】
【０１５８】
【図１】本発明の一実施例にかかる通信ネットワークの一例を示したブロック図。
【図２】移動体通信端末ＴＭ（ＴＭ１〜ＴＭｎ）の構成の一例を示したブロック図。
【図３】出力装置ＰＴの構成の一例を示したブロック図。
【図４】プリントアウトの出力先の選択画面の一例を示した概略図。
【図５】メールアドレステーブルの一例を示した概略図。
【図６】電子メールの一例を示した概略図。
【図７】ガイダンス画面の一例を示した概略図。
【図８】移動体通信端末ＴＭの概略処理の一例を示したフローチャート。
【図９】情報提供サーバ装置ＩＳの概略処理例を示したフローチャート。
【図１０】電子メール送信装置ＭＭの概略処理の一例を示したフローチャート。
【図１１】メールサーバ装置ＭＳの電子メール受信時の概略処理例を示したフローチャート。
【図１２】メールサーバ装置ＭＳが出力装置ＰＴから、端末固有情報をキーとしてＳｕｂｊｅｃｔフィールドの検索要求がされた際の概略処理の一例を示したフローチャート。
【図１３】出力装置ＰＴの概略処理の一例を示したフローチャート。
【図１４】電子メールの他の例を示した概略図。
【図１５】Ｓｕｂｊｅｃｔフィールドが更新された電子メールの一例を示した概略図。
【図１６】メールサーバ装置ＭＳの電子メール受信時の概略処理の他の例を示したフローチャート。
【図１７】メールサーバ装置ＭＳが出力装置ＰＴから、端末固有情報をキーとしてＳｕｂｊｅｃｔフィールドの検索要求がされた際の概略処理の他の例を示したフローチャート。
【図１８】メールサーバ装置ＭＳが電子メールを削除する際に実行する処理の一例を示したフローチャート。
【図１９】履歴情報テーブルの一例を示した概略図。
【図２０】情報アクセス通知レポートの一例を示した概略図。
【図２１】出力装置ＰＴの電子メール受信時の概略処理の他の例を示したフローチャート。
【図２２】情報アクセス通知レポートの出力処理の一例を示したフローチャート。
【図２３】メールアドレステーブルの他の例を示した概略図。
【符号の説明】
【０１５９】
ＴＭ，ＴＭ１〜ＴＭｎ  移動体通信端末
ＭＮ  移動体通信網
ＢＳ  移動体通信網基地局
ＧＷ  ゲートウェイ装置
ＩＳ，ＩＳ１〜ＩＳｎ  情報提供サーバ装置
ＭＭ，ＭＭ１〜ＭＭｎ  電子メール送信装置
ＭＳ  メールサーバ装置
ＰＴ，ＰＴ１〜ＰＴｎ  出力装置
【図１】
0004585526.tif 000002
【図２】
0004585526.tif 000003
【図３】
0004585526.tif 000004
【図４】
0004585526.tif 000005
【図５】
0004585526.tif 000006
【図６】
0004585526.tif 000007
【図７】
0004585526.tif 000008
【図８】
0004585526.tif 000009
【図９】
0004585526.tif 000010
【図１０】
0004585526.tif 000011
【図１１】
0004585526.tif 000012
【図１２】
0004585526.tif 000013
【図１３】
0004585526.tif 000014
【図１４】
0004585526.tif 000015
【図１５】
0004585526.tif 000016
【図１６】
0004585526.tif 000017
【図１７】
0004585526.tif 000018
【図１８】
0004585526.tif 000019
【図１９】
0004585526.tif 000020
【図２０】
0004585526.tif 000021
【図２１】
0004585526.tif 000022
【図２２】
0004585526.tif 000023
【図２３】
0004585526.tif 000024